(57)【要約】【課題】比較的簡素な構成で、眩しさ感を抑制しかつ照度を高め得るＬＥＤ灯具を提供する。【解決手段】ＬＥＤ灯具１０，１０’，１０”では、ＬＥＤランプ７０は、透明カバー７１の出射方向側が透明であるため、乳白色等である場合に生じる光の拡散がなく、照度の低下を抑えることができる。また、透明カバー７１の出射方向側が反射面２２，２３に向けられてＬＥＤ灯具１０，１０’，１０”に装着されているため、ＬＥＤランプ７０の照明光は、間接的に照射方向に向けて照射される。透明カバー７１に収容される複数のＬＥＤチップ７７は、反射面２２，２３の方向に向くことから、所定の照射方向の反対側（利用者側）からはこれらのＬＥＤチップ７７が見えない。したがって、ＬＥＤ灯具１０，１０’，１０”では、比較的簡素な構成でありながら、眩しさ感を抑制しかつ照度を高めることが可能になる。【選択図】図５
2016009559.tif 000002
【特許請求の範囲】
【請求項１】
照明光の出射方向がそれぞれ同じになるように列状に並ぶ複数の発光ダイオードをその列の並び方向に直線状に延びる筒状体に収容する直管形のＬＥＤランプと、
前記ＬＥＤランプの長手方向に延びて前記ＬＥＤランプから出射される前記照明光を所定の照射方向に向けて反射する反射体と、
を備えるＬＥＤ灯具であって、
前記ＬＥＤランプは、前記筒状体の少なくとも前記出射方向側が透明であり、かつ、前記筒状体の前記出射方向側が前記反射体に向けられて当該ＬＥＤ灯具に装着されていることを特徴とするＬＥＤ灯具。
【請求項２】
前記筒状体の前記出射方向の反対側を前記ＬＥＤランプの長手方向に沿って覆うとともに前記筒状体の前記出射方向側に開口する保護カバーを備えており、この保護カバーは、前記筒状体よりも機械的強度が高いことを特徴とする請求項１に記載のＬＥＤ灯具。
【請求項３】
前記ＬＥＤ灯具に装着された前記ＬＥＤランプの照明光の出射方向を前記ＬＥＤ灯具の高さ方向に定義した場合において、
前記筒状体の前記出射方向側に開口する前記保護カバーの開口両端の前記高さ方向位置は、前記ＬＥＤランプから出射される前記照明光が前記反射体よりも外側に照射されることなく前記反射体に向けて照射され得る位置であることを特徴とする請求項２に記載のＬＥＤ灯具。
【発明の詳細な説明】
【技術分野】
【０００１】
本発明は、直管形のＬＥＤランプを備えたＬＥＤ灯具に関するものである。
【背景技術】
【０００２】
直管形のＬＥＤランプとして、例えば、下記特許文献１に開示されるものがある。直管形のＬＥＤランプは、典型的には、長手方向に沿って複数のＬＥＤチップ（発光ダイオード）が列状に並べられて収容されている。ＬＥＤチップが発する光は指向性が鋭い。そのため、ＬＥＤチップを収容する円筒形状の直管を乳白色のポリカーボネート樹脂で形成したり、ＬＥＤチップを覆う拡散レンズや拡散フィルムを直管内に収容したりして、点状に現れがちな光源（ＬＥＤチップ）の存在位置を目立ち難くしている。また、照明光の強さも和らぐため眩しさ感も抑制している。
【先行技術文献】
【特許文献】
【０００３】
【特許文献１】特開２０１２−１４６４６８号公報
【発明の概要】
【発明が解決しようとする課題】
【０００４】
ところで、ＬＥＤチップは、特殊なものを除いて、その構造上、正面から光が出るのみであり、ＬＥＤチップの側面や背面は発光しない。また、ＬＥＤチップはプリント基板等に実装されて直管内に収容される。そのため、直管形のＬＥＤランプはその裏側が発光しないことから、直管の全周（３６０度）に亘って発光する蛍光灯に比べると、ＬＥＤランプの反射体に反射する光が少ない。実際にＬＥＤランプを使用すると、計測値では、ほぼ同等の照度であっても、蛍光灯よりもＬＥＤランプの方が暗く感じ得るのは、そのためであると考えられる。
【０００５】
また、ＬＥＤチップは、蛍光灯に比べると発熱量が多い。そのため、ポリカーボネートは難燃性の高い樹脂材料ではあるものの、ＬＥＤチップの周囲空間を覆う直管自体をポリカーボネート樹脂で形成したＬＥＤランプは、発火を極度に嫌う環境下での使用には適していない。また、ポリカーボネート樹脂に代えて直管をガラス管で形成した場合には、破損時にガラス片が飛散し得る問題がある。反射体の形状等を反射効率が良好な構成にした場合には、部品点数や加工工数の増加につながり、製品コストの上昇を招いてしまう。
【０００６】
本発明は、上述した課題を解決するためになされたものであり、比較的簡素な構成で、眩しさ感を抑制しかつ照度を高め得るＬＥＤ灯具を提供することを目的とする。
【課題を解決するための手段】
【０００７】
上記目的を達成するため、本発明のＬＥＤ灯具は、照明光の出射方向がそれぞれ同じになるように列状に並ぶ複数の発光ダイオードをその列の並び方向に直線状に延びる筒状体に収容する直管形のＬＥＤランプと、前記ＬＥＤランプの長手方向に延びて前記ＬＥＤランプから出射される前記照明光を所定の照射方向に向けて反射する反射体と、を備えるＬＥＤ灯具であって、前記ＬＥＤランプは、前記筒状体の少なくとも前記出射方向側が透明であり、かつ、前記筒状体の前記出射方向側が前記反射体に向けられて当該ＬＥＤ灯具に装着されていることを技術的特徴とする。これにより、ＬＥＤランプは、その筒状体の少なくとも出射方向側が透明であるため、乳白色等である場合に生じる光の拡散がなく、照度の低下を抑えることができる。また、ＬＥＤランプは、筒状体の出射方向側が反射体に向けられてＬＥＤ灯具に装着されている。そのため、ＬＥＤランプの照明光は、反射体に反射したものが所定の照射方向に向けて照射され、その方向に直接照射されることがない。つまり、ＬＥＤランプの照明光は、間接的に照射方向に向けて照射される。また、筒状体に収容される複数の発光ダイオードは反射体の方向に向くことから、所定の照射方向の反対側からはこれらの発光ダイオードが見えない。つまり、照明光に照らされる利用者からはＬＥＤランプの発光ダイオードが視認できない。
【０００８】
また、本発明のＬＥＤ灯具は、請求項１に記載のＬＥＤ灯具において、前記筒状体の前記出射方向の反対側を前記ＬＥＤランプの長手方向に沿って覆うとともに前記筒状体の前記出射方向側に開口する保護カバーを備えており、この保護カバーは、前記筒状体よりも機械的強度が高いことを技術的特徴とする。これにより、ＬＥＤランプは、筒状体の出射方向の反対側、つまり照明光が出射されない側が筒状体よりも機械的強度の高い保護カバーに覆われる。そのため、例えば、筒状体をガラス管で構成した場合において、ガラス管よりも硬い物体が当該ＬＥＤ灯具に接触し得る事態が発生しても、保護カバーにより筒状体の破損を防止することができる。
【０００９】
さらに、本発明のＬＥＤ灯具は、請求項２に記載のＬＥＤ灯具において、前記ＬＥＤ灯具に装着された前記ＬＥＤランプの照明光の出射方向を前記ＬＥＤ灯具の高さ方向に定義した場合において、前記筒状体の前記出射方向側に開口する前記保護カバーの開口両端の前記高さ方向位置は、前記ＬＥＤランプから出射される前記照明光が前記反射体よりも外側に照射されることなく前記反射体に向けて照射され得る位置であることを技術的特徴とする。これにより、ＬＥＤランプから出射される照明光は、そのすべてが反射体に向けて照射される。そのため、ＬＥＤランプの照明光を効率良く反射体に向けることができるので、反射体で反射する照明光の照度をより効果的に高めることができる。なお、保護カバーの開口両端の高さ方向位置は、ＬＥＤランプから出射されて反射体に当たる照明光の照射範囲（反射体に対するもの）を規定する。
【発明の効果】
【００１０】
本発明のＬＥＤ灯具では、出射方向側を透明にしその出射方向側を反射体に向けてＬＥＤランプを装着するという簡素な構成を採る。ＬＥＤランプの照明光は、照度の低下を抑えつつ間接的に照射方向に向けて照射される。また、照明光に照らされる利用者からはＬＥＤランプの発光ダイオードが見えない。したがって、比較的簡素な構成でありながら、眩しさ感を抑制しかつ照度を高めることができる。
【図面の簡単な説明】
【００１１】
【図１】本発明の一実施形態に係るＬＥＤ灯具の使用状態を示す説明図である。
【図２】本実施形態のＬＥＤ灯具の構成例を示す斜視図である。
【図３】本実施形態のＬＥＤ灯具の構成例を示す図であり、図３(A)は正面図、図３(B)は背面図、図３(C)は平面図（または底面図）である。
【図４】図４(A)は図３(B)に示すIV線矢視による側面図、図４(B)は図４(A)の反対側から見た側面図である。
【図５】ソケットカバーおよびその周辺の構成例を示す説明図であり、図５(A)は使用状態を示すもの、図５(B)はソケットカバーをスライドさせた状態を示すものである。
【図６】本実施形態のＬＥＤ灯具の組付工程を示す説明図である。
【図７】図７(A)は、図３(B)に示すVII−VII切断線による断面図であり、ＬＥＤランプから反射面に向けて照射される照明光の範囲を示すものである。図７(B)および図７(C)は、ランプカバーを改変した場合における、図７(A)の断面図に相当するものである。
【図８】図８(A)はＬＥＤ灯具の正面図である。図８(B)はＬＥＤ灯具の背面図である。図８(C)はＬＥＤ灯具の平面図である。図８(D)はＬＥＤ灯具の左側面図である。図８(E)は図８(A)に示す８Ｅ−８Ｅ切断線による断面図である。図８(F)はＬＥＤ灯具を正面斜め左上方から見た斜視図である。
【図９】図９(G)は左側面図（図８(D)）の拡大図である。図９(H)は断面図（図８(E)）の拡大図である。
【発明を実施するための形態】
【００１２】
以下、本発明のＬＥＤ灯具の実施形態を各図に基づいて説明する。まず、ＬＥＤ灯具１０の構成概要を図１〜図５を参照して説明する。なお、図１には、本発明の一実施形態に係るＬＥＤ灯具１０の使用状態を示す説明図が図示されている。また、図２には、ＬＥＤ灯具１０の構成例を示す斜視図が図示されている。また、図３には、ＬＥＤ灯具１０の構成例を示す図として、正面図（図３(A)）、背面図（図３(B)）、平面図または底面図（図３(C)）がそれぞれ図示されている。図４(A)には図３(B)に示すIV線矢視による側面図、図４(B)には図４(A)の反対側から見た側面図、がそれぞれ図示されている。さらに、図５には、ソケットカバー４０およびその周辺の構成例を示す説明図が図示されている。
【００１３】
図１に示すように、本実施形態のＬＥＤ灯具１０は、例えば、鉄道車両や路線バス等の乗合車両の客室内の天井１００や壁等に形成される凹部１０１に組み付けられて使用される室内照明装置である。本実施形態では、ＬＥＤ灯具１０は、長手方向両端において、ボルト９０により乗合車両に取り付けられている。ＬＥＤ灯具１０は、照明光源として、直管形のＬＥＤランプを備えており、このＬＥＤランプから出射される照明光を、本体ケース２０の反射面２２，２３等に反射させて照射方向（客室方向）に照明光を向ける間接照明機器である。
【００１４】
なお、図１においては、ＬＥＤランプは、後述するランプカバー５０に隠れているため、図示されてないことに注意されたい。また、図１に示すＬＥＤ灯具１０は、構成を理解し易く表現するために単体のＬＥＤ灯具１０を図示しており、実際の乗合車両では、車両の前後方向に複数のＬＥＤ灯具１０を直線状に連ねて設置していることが多い。なお、図１に表す符号４０は、ランプカバー５０およびＬＥＤランプ７０の端部を覆うソケットカバーを示している。
【００１５】
図２に示すように、ＬＥＤ灯具１０は、主に、本体ケース２０、ソケットカバー４０、ランプカバー５０、ＬＥＤランプ７０、ＬＥＤ電源装置８０等により構成されている。なお、図２に示す座標系のＸ軸方向は、ＬＥＤ灯具１０の長手方向を示す。また、同座標系のＹ軸方向は、ＬＥＤ灯具１０の幅方向（短手方向）を示す。さらに、同座標系のＺ軸方向は、ＬＥＤ灯具１０の高さ方向を示す。なお、図２に表す符号２１は、本体ケース２０の幅方向中央に形成される中央部である。また、符号２１ａは、中央部２１に形成される取付穴であり、図１を参照して説明したようにＬＥＤ灯具１０を乗合車両に取り付ける際にボルト９０が挿通される貫通穴である。
【００１６】
図３および図４に示すように、本体ケース２０は、例えば、アルミニウム等の金属材からなり、表面側（正面側）には、中央部２１、反射面２２，２３、フランジ２４が形成され（図３(A)）、また裏面側（背面側）には、電源取付部２５、リブ２６、フィン２７，２８が形成されている（図３(B)）。これらは、押出または切削加工により長尺状に一体に形成されている。本体ケース２０の両端には切欠部２９が形成されている。この切欠部２９は、ＬＥＤ灯具１０の組付時やメンテナンス時において、作業者の手が本体ケース２０に容易に掛けられるように形成される凹みであり、またデザイン的な意匠性を高める役割も果たす。なお、本体ケース２０にアルミニウム等の金属材を用いるのは、樹脂材に比べて不燃性に優れており、また熱伝導特性が良いためである。
【００１７】
本体ケース２０の幅方向中央に平坦状に形成される中央部２１には、前述した取付穴２１ａが形成されている。また、後述するＬＥＤ電源装置８０に接続される電気配線が通る配線穴２１ｂも中央部２１に形成されている。中央部２１の幅方向両側には、反射面２２，２３が形成されており、長手方向に沿って２列に並んでいる。反射面２２，２３は、その端部形状が凹状の湾曲形状を成しており、本体ケース２０の一端側から他端側まで連続して同様の湾曲形状に形成されている。反射面２２，２３は、表面側（裏面側の反対側）に向けて開口しており、中央部２１を含めた幅向長さが、前述した天井１００の凹部１０１をほぼ塞ぐ幅に設定されている（図１参照）。反射面２２，２３は、いずれもＬＥＤランプ７０のＬＥＤチップから出射される照明光のほぼすべてを乗合車両の客室方向（図４において紙面下方向）に向けて反射させ得るように湾曲している。
【００１８】
中央部２１と反射面２２，２３の間には、反射面２２，２３のそれぞれから中央部２１側に向かって延びる一対のフランジ２４が形成されている。これらのフランジ２４は、両者が対向するとともに、中央部２１に対して高さ方向（Ｚ軸方向）に所定間隔を隔てて位置する。これにより、後述するソケットカバー４０がＬＥＤ灯具１０の長手方向（Ｘ軸方向）にスライドし得るガイド溝２４ａを形成する（図４参照）。本実施形態では、反射面２２，２３が、ＬＥＤランプ７０から出射される照明光を客室方向に反射する反射体として、主に機能するが、中央部２１やフランジ２４も反射体として機能する。そのため、本実施形態では、中央部２１、反射面２２，２３、フランジ２４の各表面には、つや消し処理（例えば、梨地処理）を施している。これにより、ＬＥＤランプ７０から出射された照明光が鏡面反射をした場合に比べて、反射した照明光が和らいだ光になるように構成している。なお、以下、中央部２１、反射面２２，２３およびフランジ２４を「反射面２２等」と総称することにする。
【００１９】
本体ケース２０の幅方向（短手方向、Ｙ軸方向）両側には、フィン２７，２８が形成されている。フィン２７は反射面２２から、またフィン２８は反射面２３から、それぞれ高さ方向（Ｚ軸方向）に立ち上がるように形成されている。つまり、本体ケース２０の裏面（背面側）に突出するようにフィン２７，２８が形成されている。これらのフィン２７，２８は、例えば、ＬＥＤ灯具１０が天井１００の凹部１０１に収容された状態において高さ方向の位置ズレにより生じ得る天井１００との隙間を隠す「目隠し板」の役割を果たす。またデザイン的な意匠性を高める役割も果たす。
【００２０】
本体ケース２０の裏面（背面側）には、電源取付部２５やリブ２６も形成されている。電源取付部２５は、中央部２１の裏側に位置しており、中央部２１と同様に、本体ケース２０の幅方向中央に平坦状に形成されている。電源取付部２５には、ＬＥＤ電源装置８０およびＬ金具８５等が設けられている。Ｌ金具８５には、ＬＥＤ電源装置８０に電気配線される入力コネクタ８１や出力コネクタ８３が保持されている。本実施形態では、ＬＥＤ電源装置８０はボルト８７によって、またＬ金具８５はボルト８８によって、それぞれ電源取付部２５にねじ締結されている。電源取付部２５の両側には、リブ２６が形成されている。これにより、本体ケース２０の機械的強度を高めている。
【００２１】
ソケットカバー４０は、例えば、アルミニウム板をＵ字形状に曲げて形成したものであり、後述するソケット６０の周囲を覆うことにより客室方向からソケット６０を見えなくするものである。本実施形態では、図４に示すように、ソケットカバー４０は、ＬＥＤ灯具１０の長手方向（Ｘ軸方向）から見た場合に、ほぼ半円形状を成す頂部４１と、頂部４１の両側に接続されて直線形状を成す２枚の側壁部４２と、これらの側壁部４２の端部に位置して幅方向（Ｙ軸方向）外側に延びるＬ字形状を成すフランジ部４３と、から構成されている。ソケットカバー４０の幅（Ｙ軸方向）は、後述するソケットベース３０の幅よりも大きく、かつ、前述した一対のフランジ２４の対向間隔よりも広く設定されている。またソケットカバー４０の高さ（Ｚ軸方向）は、ソケットベース３０に取り付けられたランプカバー５０の高さにボルト５５のヘッドを加えた高さよりも大きく設定されている。フランジ部４３は、前述したガイド溝２４ａ内を摺動可能な厚さと幅に設定されている。
【００２２】
このように構成されたソケットカバー４０は、一対のフランジ部４３が中央部２１の両側のガイド溝２４ａ内に収まるように、両方の側壁部４２をそれらの対向間隔が狭くなるように弾性変形させた状態で、本体ケース２０の一端側から他端側にスライドさせて挿入される。これにより、中央部２１とフランジ２４の間でフランジ部４３が摺動することによって、ソケットカバー４０は、本体ケース２０の長手方向（Ｘ軸方向）にスライド移動することが可能になる。これらの側壁部４２とフランジ２４との間には、側壁部４２の対向間隔が拡がる方向（戻り方向）に弾性力が働くため、スライドさせたソケットカバー４０を任意の位置に留めることができる。
【００２３】
なお、本実施形態ではソケットカバー４０を所定のスライド位置で固定している。具体的には、ガイド溝２４ａ内に高さ方向（Ｚ軸方向）に突出するボルト４５（軸部材）を所定間隔を隔てて挿入する。また、フランジ部４３にその長手方向（Ｘ軸方向）および幅方向（Ｙ軸方向）にボルト４５の太さ程度に窪む凹部を形成する。これにより、ガイド溝２４ａ内のボルト４５にフランジ部４３が摺接するように、側壁部４２の対向間隔が狭まるように弾性変形させたソケットカバー４０をガイド溝２４ａ内でスライド移動させると、ボルト４５がフランジ部４３の凹部に嵌まり込むまで、ガイド溝２４ａ内でソケットカバー４０が移動する。そして、フランジ部４３の凹部にボルト４５が嵌まる位置にソケットカバー４０が到達すると、フランジ部４３とボルト４５が掛合してソケットカバー４０の移動が阻止される。つまり、ソケットカバー４０はロックされてスライド移動ができなくなる。このロックは、ボルト４５と凹部の掛合が解かれるように、側壁部４２の対向間隔を狭めるようにソケットカバー４０を操作することで、解除することができる。なお、ボルト４５は、図４においては図面表現上の便宜により表されていないが、図３(B)には図示されている。また、フランジ部４３に形成される凹部は図示を省略している。
【００２４】
ランプカバー５０は、ＬＥＤランプ７０の長手方向（Ｘ軸方向）に沿って、ＬＥＤランプ７０の放熱部側（照明光の出射方向の反対側）を覆うとともにＬＥＤランプ７０の照明光の出射方向側に開口するものである。ランプカバー５０は、例えば、短冊状のアルミニウム板を、断面形状がほぼコ字形状を成す棒状に成形して構成される。これにより、ＬＥＤランプ７０の透明カバー７１よりも機械的強度を高めている。ランプカバー５０の長さ（Ｘ軸方向の長さ）は、ＬＥＤランプ７０の長さよりも長く、例えば、後述する一組のソケットベース３０のカバー固定部３２にねじ締結可能な長さに設定されている。ランプカバー５０の両端には、ランプカバー５０をカバー固定部３２にボルト５５によりねじ締結するための貫通孔が形成されている。
【００２５】
本実施形態では、ＬＥＤランプ７０の放熱部側を覆う部分、つまりコ字形状部５１の幅（Ｙ軸方向）を狭くするために、コ字形状部５１に連続して湾曲壁部５２を形成している。コ字形状部５１には、照明光があたり難く影ができ易いためである。本実施形態では、ランプカバー５０で覆うＬＥＤランプ７０の径方向断面の円形状に沿って湾曲する湾曲壁部５２をコ字形状部５１に連続して形成する。これにより、湾曲壁部５２の湾曲部分が、反射面２２等で反射されて受けた照明光を客室方向（図４において紙面下方向）に向けて再度反射することが可能になる。そのため、湾曲壁部５２の湾曲部分に影をでき難くして、客室側からＬＥＤ灯具１０を見た場合に暗く見える部分（コ字形状部５１の平坦部分Ｗ）を狭くすることができる。なお、コ字形状部５１の角部においても曲面部（アール）を形成することにより、コ字形状部５１の平坦部分Ｗを減少させることが可能になるので、暗く見える部分Ｗをさらに狭くすることができる。
【００２６】
湾曲壁部５２は、ＬＥＤランプ７０の照明光の出射方向側で開口している。湾曲壁部５２の開口端部５３は、ＬＥＤランプ７０の直径よりも僅かに大きく開く程度に開口幅が設定されている。図面には表されていないが、コ字形状部５１および湾曲壁部５２の内側に、ウレタン素材等から成る図略の緩衝部材を貼付しても良い。これにより、ランプカバー５０とＬＥＤランプ７０との間に緩衝部材が介在するので、ＬＥＤランプ７０がコ字形状部５１や湾曲壁部５２に直接、接触することを抑制し、ＬＥＤランプ７０の表面（透明カバー７１等）に傷等をつき難くする。湾曲壁部５２は、その開口端部５３が所定の位置まで延びるように湾曲壁部５２の高さ（Ｚ軸方向の長さ）が設定されている。開口端部５３の高さ方向（Ｚ軸方向）の位置によって、ＬＥＤランプ７０から出射されて反射面２２等に当たる照明光の照射範囲（反射面２２等に対するもの）を規定する。これについては、図７を参照して後述する。
【００２７】
図５(B)に示すように、ソケットベース３０は、主に、ソケット固定部３１とカバー固定部３２により構成されており、ＬＥＤランプ７０をその両端で固定するソケット６０と同様に２個１組（一対）で本体ケース２０に取り付けられている。なお、図５には、その一方のソケットベース３０等が図示されており、他方のソケットベース３０等が本体ケース２０の反対側にも取り付けられているが、位置関係を左右対称である点を除いて同様に構成されるため、他方のソケットベース３０等については図示と説明を省略する。また、ソケットベース３０は、通常、ソケットカバー４０やランプカバー５０の内側に隠れている。そのため、図５(B)では、ソケットカバー４０を本体ケース２０の端部方向（切欠部２９の方向）にスライド移動させ、またランプカバー５０を取り外した状態にして、ソケットベース３０が見えるように図面表現している。なお、移動前（通常使用時）のソケットカバーは、二点鎖線により表現されており（符号４０）、またランプカバー５０は、一点鎖線により表現されている。また、図５(A)には、ソケットカバー４０をスライド移動させていない状態、つまり通常使用時のＬＥＤ灯具１０を対比可能に図示している。
【００２８】
ソケットベース３０は、肉厚の鉄板を折り曲げて、ソケット固定部３１、カバー固定部３２や取付面３３等を構成している。ソケットベース３０を本体ケース２０に取り付け得る取付面部３３には、取付穴と配線穴が形成されている。取付穴には、例えば、リベット３７が貫通してソケットベース３０を本体ケース２０に固定する（図３(B)、図６参照）。また、配線穴には、ＬＥＤ電源装置８０の出力コネクタ８３に接続される電気配線が中央部２１の配線穴２１ｂを介して挿通されてソケット６０に電気的に接続される。
【００２９】
ソケット固定部３１にはソケット６０が固定されている。ソケット６０の固定は、例えば、ソケット固定部３１に形成される一対の固定爪３１ａをソケット６０の両側の溝部に嵌合させることにより行われる（図７参照）。ソケット固定部３１に固定されるソケット６０の背面側（ＬＥＤランプ７０が接続されない側）には、ソケット固定部３１に連続して台形状を成す垂直壁部３４が形成されており、また垂直壁部３４の両側には、機械的強度を高めるフランジ部３５が形成されている（図４、図６(A)，(B)参照）。垂直壁部３４の頂部には、垂直壁部３４に連続してカバー固定部３２が形成されている。
【００３０】
カバー固定部３２は、例えば、無蓋の矩形箱形状に形成されている。カバー固定部３２の箱形状は、ランプカバー５０のコ字形状部５１を機械的に安定して被せることが可能な大きさ（幅と深さ）に設定されており、箱形状の底に相当する部分の中央には雌ねじ穴３２ａが形成されている（図４、図６(A)参照）。ランプカバー５０は、コ字形状部５１の両端に形成される貫通孔５１ａを貫通するボルト５５により雌ねじ穴３２ａにねじ締結されてカバー固定部３２に固定される。つまり、ランプカバー５０は、その両端がカバー固定部３２にねじ締結されて本体ケース２０に固定されている。なお、カバー固定部３２の高さ（高さ方向位置）は、ソケット６０の高さに対応して、カバー固定部３２に固定するランプカバー５０がソケット６０に取り付けられるＬＥＤランプ７０をほぼ隙間なく覆い得るように、適宜設定される。
【００３１】
ここで、ソケット６０に取り付けられるＬＥＤランプ７０の構成を図５(B)を参照して簡単に説明する。図５(B)に示すように、ＬＥＤランプ７０は、その外観形状やサイズが直管形の蛍光灯とほぼ同様に設定されたものであるが、外装を構成する円筒形状を成す透明カバー７１がガラス製でありまた無色透明である点が、通常の直管形のＬＥＤランプと異なる。即ち、透明カバー７１の両端には口金部７３が取り付けられており、この口金部７３に設けられる２本の電極から、直流電力が供給されて、内部のＬＥＤチップ７７が点灯する。ＬＥＤチップ７７は、照明光の出射方向がそれぞれ同じになるようにＬＥＤ基板７６に列状に並んで実装されており、このＬＥＤ基板７６の裏側（ＬＥＤチップ７７の非実装面）には放熱部７５が設けられている。透明カバー７１には、これらのほかに電圧コンバータを内蔵している場合もある。
【００３２】
なお、本実施形態では、透明カバー７１の外表面に飛散防止フィルムを貼付している。これにより、仮に透明カバー７１が割れたとしても、ガラス片が周囲に飛び散らないように構成している。また、透明カバー７１は、その全周を無色透明に構成したが、少なくとも、内装するＬＥＤチップ７７の出射方向側が透明であれば、例えば、ＬＥＤ基板７６の裏側、つまり放熱部７５の側を不透明色に着色したり、光学的に不透明の樹脂カバー等で覆っても良い。また、ＬＥＤランプ７０は、その径方向の断面形状が必ずしも円形状である必要はなく、例えば、楕円形状、矩形状や多角形状であっても良い。透明カバー７１は、有色透明であっても良い。また、透明であれば、難燃性の樹脂製でも良い。
【００３３】
本実施形態では、このように構成されるＬＥＤランプ７０を照明光の出射側が反射面２２等の方向に向くようにソケット６０に取り付けて本体ケース２０に装着する。例えば、図６に示す工程で組み付けられる。図６には、ＬＥＤ灯具１０の組付工程を示す説明図が図示されている。まず、ソケットカバー４０’を本体ケース２０の端部方向にスライド移動させてソケット６０にＬＥＤランプ７０を取り付ける（図６(A)参照）。このときＬＥＤランプ７０は、放熱部７５が表面（正面）側（ＬＥＤチップ７７が裏面（背面）側）に向くようにセットする。次に、ランプカバー５０をソケットベース３０のカバー固定部３２に取り付けボルト５５でねじ留めをする（図６(B)参照）。ランプカバー５０を取り付けた後、ソケットカバー４０を元の位置までスライド移動させる（図６(C)参照）。これにより、ＬＥＤランプ７０の装着とランプカバー５０の組み付けが完了する。
【００３４】
次に、図７を参照してランプカバー５０の開口端部５３の高さ方向（Ｚ軸方向）の位置によって、ＬＥＤランプ７０から出射されて反射面２２等に当たる照明光の照射範囲（反射面２２等に対するもの）が定まるため、これについて説明する。なお、図７(A)には、図３(B)に示すVII−VII切断線による断面図であり、ＬＥＤランプ７０から反射面２２等に向けて照射される照明光の範囲を示すものが図示されている。また、図７(B)および図７(C)には、ランプカバー５０を改変した場合における、図７(A)の断面図に相当するものが図示されている。図７に示される符号θは、ＬＥＤチップ７７の仕様上、予め規定されている照明光の出射角であり、例えば１２０度である。出射角θは、例えば、ＬＥＤの発光強度のピーク値の半分になる発光強度でプロットした場合に得られる半値全角である。一点鎖線は、出射角θにより定まる照明光の出射範囲を示す。
【００３５】
本実施形態では、ランプカバー５０の湾曲壁部５２の高さ、つまり開口端部５３の高さ方向位置は、原則として、反射面２２等に反射されて客室側を照らす照明光の照度が最大になるように設定される。例えば、図７(A)に示すように、反射面２２および反射面２３のそれぞれの２／３（６６％）をカバーするように（図７(A)において薄墨色に着色した範囲）、開口端部５３の高さ方向位置を設定する。また、図７(B)に示すＬＥＤ灯具１０’のように、ＬＥＤランプ７０から出射される照明光が反射面２２等よりも外側に照射されることなく反射面２２等に向けて照射される高さ方向位置になるようにランプカバー５０’の開口端部５３’を設定する。これにより、ＬＥＤランプ７０から出射される照明光は、そのすべてが反射面２２等に向けて照射されるため（図７(B)において薄墨色に着色した範囲）、ＬＥＤランプ７０の照明光を効率良く反射面２２等に向けることができる。
【００３６】
図７(C)に示すＬＥＤ灯具１０”のように、透明カバー７１の照明光の出射方向側に開口するランプカバー５０”の開口端部５３”の高さ方向位置と、反射面２２，２３の側端部２２ａ，２３ａの高さ方向位置と、が一致するように（図７(C)に示す二点鎖線）、開口端部５３”を設定しても良い。この場合は、図７(A)や図７(B)に示す範囲よりも狭い範囲で反射面２２等に照明光が当たるが（図７(C)において薄墨色に着色した範囲）、ＬＥＤランプ７０は、反射面２２，２３やランプカバー５０”等に隠れる。これにより、ＬＥＤ灯具１０をどの方向から見てもＬＥＤランプ７０が直接見えない。そのため、利用者に対して、ＬＥＤランプ７０から直接、照明光が当たらないようにすることが可能になるので、ＬＥＤ灯具１０”を壁や床等の低い位置に設置した場合でも、利用者が眩しく感じ難くなるようにすることができる。
【００３７】
なお、図７(A)および図７(B)で示したランプカバー５０，５０’による開口端部５３，５３’の高さ方向位置の例は、ＬＥＤランプ７０の高さ方向位置や、収容されるＬＥＤランプ７０内におけるＬＥＤチップ７７の実装位置（高さ方向位置）によっても変動する。そのため、開口端部５３，５３’の高さ方向位置は、これらの具体的な高さ方向位置に基づいて、実験や計算機シミュレーション等により、適宜、最適値に設定される。
【００３８】
以上説明したように、本実施形態に係るＬＥＤ灯具１０，１０’，１０”（以下「ＬＥＤ灯具１０等」という）では、照明光の出射方向がそれぞれ同じになるように列状に並ぶ複数のＬＥＤチップ７７をその列の並び方向に直線状に延びる透明カバー７１に収容する直管形のＬＥＤランプ７０と、ＬＥＤランプ７０の長手方向に延びてＬＥＤランプ７０から出射される照明光を所定の照射方向に向けて反射する反射面２２等（中央部２１、反射面２２，２３、フランジ２４）と、を備える。そして、ＬＥＤランプ７０は、透明カバー７１の少なくとも照明光の出射方向側が透明であり、かつ、透明カバー７１の照明光の出射方向側が反射面２２等に向けられてＬＥＤ灯具１０に装着されている。
【００３９】
これにより、ＬＥＤランプ７０は、少なくとも、その透明カバー７１の出射方向側が透明であるため、乳白色等である場合に生じる光の拡散がなく、照度の低下を抑えることができる。また、ＬＥＤランプ７０は、透明カバー７１の出射方向側が反射面２２等に向けられてＬＥＤ灯具１０等に装着されている。そのため、ＬＥＤランプ７０の照明光は、反射面２２等に反射したものが所定の照射方向に向けて照射され、その方向に直接照射されることがない。つまり、ＬＥＤランプ７０の照明光は、間接的に照射方向に向けて照射される。また、透明カバー７１に収容される複数のＬＥＤチップ７７は反射面２２等の方向に向くことから、所定の照射方向の反対側からはこれらのＬＥＤチップ７７が見えない。つまり、照明光に照らされる利用者からはＬＥＤランプ７０のＬＥＤチップ７７が視認できない。また、ＬＥＤ灯具１０等は、透明カバー７１の出射方向側を透明にし、その出射方向側を反射面２２等に向けてＬＥＤランプ７０を装着するという構成を採るので、反射効率を高め得る複雑な形状を反射面２２等に設けた構成を採る場合に比べて、簡素な構成であっても照度が高められる。したがって、ＬＥＤ灯具１０等では、比較的簡素な構成でありながら、眩しさ感を抑制しかつ照度を高めることができる。
【００４０】
また、本実施形態に係るＬＥＤ灯具１０等では、透明カバー７１の照明光の出射方向の反対側をＬＥＤランプ７０の長手方向に沿って覆うとともに透明カバー７１の照明光の出射方向側に開口するランプカバー５０を備えている。そして、このランプカバー５０は、透明カバー７１よりも機械的強度が高い。これにより、ＬＥＤランプ７０は、透明カバー７１の照明光の出射方向の反対側、つまり照明光が出射されない側が透明カバー７１よりも機械的強度の高いランプカバー５０に覆われる。そのため、例えば、透明カバー７１をガラス管で構成した場合において、ガラス管よりも硬い物体が当該ＬＥＤ灯具１０等に接触し得る事態が発生しても、ランプカバー５０により透明カバー７１の破損を防止することができる。
【００４１】
さらに、本実施形態に係るＬＥＤ灯具１０等では、透明カバー７１の照明光の出射方向側に開口するランプカバー５０の開口端部５３の高さ方向位置は、ＬＥＤランプ７０から出射される照明光が反射面２２等よりも外側に照射されることなく反射面２２等に向けて照射され得る位置である。これにより、ＬＥＤランプ７０から出射される照明光は、そのすべてが反射面２２等に向けて照射される。そのため、ＬＥＤランプ７０の照明光を効率良く反射面２２等に向けることができるので、反射面２２等で反射する照明光の照度をより効果的に高めることができる。
【００４２】
また、このように構成されるＬＥＤ灯具１０のうちＬＥＤ電源装置８０を除いた全体形状は、図８に示す六面図および斜視図により把握することができる。また、図９に示す拡大図により把握することができる。なお、図８(A)はＬＥＤ灯具１０の正面図である。図８(B)はＬＥＤ灯具１０の背面図である。図８(C)はＬＥＤ灯具１０の平面図である。ＬＥＤ灯具１０の底面図は、図８(C)に示す平面図と同様に表れるので省略する。図８(D)はＬＥＤ灯具１０の左側面図である。ＬＥＤ灯具１０の右側面図は、図８(D)に示す左側面図と同様に表れるので省略する。図８(E)は図８(A)に示す８Ｅ−８Ｅ切断線による断面図である。図８(F)はＬＥＤ灯具１０を正面斜め左上方から見た斜視図である。図９(G)は、図８(D)に示す左側面図をほぼ６倍に拡大した拡大図である。図９(H)は、図８(E)に示す断面図をほぼ６倍に拡大した拡大図である。
【００４３】
以上、本発明の具体例を詳細に説明したが、これらは例示に過ぎず、特許請求の範囲を限定するものではない。特許請求の範囲に記載の技術には、上述した具体例を様々に変形または変更したものが含まれる。また、本明細書または図面に説明した技術要素は、単独であるいは各種の組合せによって技術的有用性を発揮するものであり、出願時の請求項に記載の組合せに限定されるものではない。さらに、本明細書または図面に例示した技術は、複数の目的を同時に達成するものであり、そのうちの一つの目的を達成すること自体で技術的有用性を持つ。なお、[符号の説明]の欄における括弧内の記載は、上述した各実施形態で用いた用語と、特許請求の範囲に記載の用語との対応関係を明示するものである。
【符号の説明】
【００４４】
１０…ＬＥＤ灯具
２０…本体ケース
２１…中央部（反射体）
２２、２３…反射面（反射体）
２４…フランジ（反射体）
２４ａ…ガイド溝
３０…ソケットベース
３１…ソケット固定部
３２…カバー固定部
４０…ソケットカバー
５０…ランプカバー（保護カバー）
５１…コ字形状部
５２…湾曲壁部
５３…開口端部（保護カバーの開口両端）
６０…ソケット
７０…ＬＥＤランプ
７１…透明カバー（筒状体）
７７…ＬＥＤチップ（発光ダイオード）
１００…天井
１０１…凹部
【図５】
2016009559.tif 000003
【図６】
2016009559.tif 000004
【図１】
2016009559.tif 000005
【図２】
2016009559.tif 000006
【図３】
2016009559.tif 000007
【図４】
2016009559.tif 000008
【図７】
2016009559.tif 000009
【図８】
2016009559.tif 000010
【図９】
2016009559.tif 000011